(57)【要約】【課題】  リール脚を指で挟み込んでリールシート付近を把持しながら釣り操作を行うことによる不具合を解消しながら、リールシートから竿尻端までの長さが十分でない場合であっても、腕置き部の配置に苦慮することが少ない元竿を提供する。【解決手段】  リールシート２より竿先側にグリップ部４を設けるとともに、リールシート２より竿尻側に左右一対の棒状体３Ａ、３Ａを配置して腕置き部３を構成する。グリップ部４の握り面と腕置き部３の腕置き面とを結ぶ仮想線ｂを想定し、その仮想線ｂが竿尻側ほど竿の外周面から離間する斜め姿勢となるように棒状体３Ａを竿外方に突出させて設けてある。【選択図】        図１
2008104420.tif 000002
【特許請求の範囲】
【請求項１】
リールシートの竿先側にグリップ部を形成するとともに、前記リールシートより竿尻側に腕置き部を設け、前記グリップ部の握り面と前記腕置き部の腕置き面とを結ぶ仮想線を想定し、その仮想線が竿尻側ほど竿の外周面から離間する斜め姿勢となるように腕置き部を竿外方に突出させて設けてある元竿。
【請求項２】
前記腕置き部が、前記グリップ部より竿尻側に位置する外周面から竿外方に向けて突出する一対の棒状体で構成されている請求項１記載の元竿。
【請求項３】
前記グリップ部が手指を位置決めする握り溝を備えている請求項１または２記載の元竿。
【発明の詳細な説明】
【技術分野】
【０００１】
本発明は、釣り竿を握った手を支える腕や肘等を載置する腕置き部を備えている元竿に関する。
【背景技術】
【０００２】
リールシートの竿尻側に竿体の外周面から左右一対の棒状体を立設して腕置き部を形成し、リールシートの脚部を指に挟み込みリールシート付近を把持しつつ、腕置き部に肘部分を載置して釣り操作を行うものに使用される元竿があった（特許文献１参照）。
【０００３】
【特許文献１】特開２００１−１９７８５０号公報（段落番号〔０００３〕、〔００１４〕、〔００１５〕及び、図２〜図４、図７）
【発明の開示】
【発明が解決しようとする課題】
【０００４】
肘を腕置き部に適切に載置するには、リールシートから腕置き部まで釣り人の腕長さに相当する長さが必要であるが、リールシートから竿尻端までの長さを出来るだけ短くしたい場合がある。リールシートから竿尻端までの長さを短くし過ぎると腕置き部を設けることができない場合もある。
一方で、リール脚を指で挟み込んでリールシート付近を把持しながら釣り操作を行うことは握力の低下や手指に局部的な圧迫力が作用することによる痛み等によって、長時間に亘る操作が困難になることがあった。
【０００５】
本発明の目的は、リール脚を指で挟み込んでリールシート付近を把持し釣り操作を行うことによる不具合を解消しながら、リールシートから竿尻端までの長さが十分でない場合であっても、腕置き部の配置に苦慮することが少ない元竿を提供する点にある。
【課題を解決するための手段】
【０００６】
〔構成〕
請求項１に係る発明の特徴構成は、リールシートの竿先側にグリップ部を形成するとともに、前記リールシートより竿尻側に腕置き部を設け、前記グリップ部の握り面と前記腕置き部の腕置き面とを結ぶ仮想線を想定し、その仮想線が竿尻側ほど竿の外周面から離間する斜め姿勢となるように腕置き部を竿外方に突出させて設けてある点にあり、その作用効果は次の通りである。
【０００７】
〔作用〕
リールシートとは別個にグリップ部を形成したので、竿体を支持するのに、リール脚を指で挟み込んでリールシート付近を把持する必要はない。
グリップ部をリールシートより竿先側に設けてあるので、リールシートから竿尻側までの長さが短くなっても、腕長さに適合した位置に腕置き部を設けることが容易になる。
グリップ部をリールシートより竿先側に設けてあるので、リール装着位置がグリップ部より竿尻側に位置することとなり、リールの重量が竿尻側に作用することとなる。このことによって、グリップ部から穂先竿までの重量とグリップ部から竿尻端までの重量とのバランスが取れ易くなり、持ち重り感が解消する。
【０００８】
〔効果〕
リールシートとは別個に設けられたグリップ部を把持して釣り操作を行うので、握力の低下や手指に局部的な圧迫力が作用することによる痛みが発生することが少なく、長時間に亘る操作も容易に行えるようになった。
また、グリップ部をリールシートより竿先側に設けてあるので、腕長さに適合した位置に腕置き部を設けることが容易になり、かつ、持ち重り感の解消が容易になった。
【０００９】
請求項２に係る発明の特徴構成は、請求項１に係る発明において、前記腕置き部が、前記グリップ部より竿尻側に位置する外周面から竿外方に向けて突出する一対の棒状体で構成されている点にあり、その作用効果は次の通りである。
【００１０】
〔作用効果〕
つまり、棒状体を利用したものであるので、構造が簡単なもので済み、かつ、竿外周面より竿外方に向けて突出させる際に、十分な突出量を得る場合にも、余り重量増を招来することなく行える。
【００１１】
請求項３に係る発明の特徴構成は、請求項１又は２に係る発明において、前記グリップ部が手指を位置決めする握り溝を備えている点にあり、その作用効果は次の通りである。
【００１２】
〔作用効果〕
握り溝の存在によってグリップ部を握る手指に局部的な圧迫感が作用することは少なく、長時間に亘る釣り操作を継続できる。
【発明を実施するための最良の形態】
【００１３】
船竿等に使用される釣り竿の元竿Ａについて説明する。図１に示すように、竿体１の外周面に筒状のリールシート２を装着し、固定フード２Ａと可動フード２ＢとでスピニングリールＳの脚部Ｓａを取り付け固定するとともに、リールシート２の竿尻側に後記する腕置き部３とリールシート２の竿先側にグリップ部４を形成し、竿尻端に尻栓５を設けて、元竿Ａを構成してある。
【００１４】
腕置き部３について説明する。腕置き部３は、元竿Ａのグリップ部４を握る釣り人の腕部分ｕを支持する機能を担っている。つまり、図１に示すように、腕置き部３は、リールシート２より竿尻端側において、スピングリールＳの取付方向とは竿軸線を挟んで１８０°反対側に位置し、竿体１の外周面より外方に向けて立ち上げ形成した左右一対の棒状体３Ａ、３Ａで構成してある。
【００１５】
図１に示すように、左右一対の棒状体３Ａ、３Ａは、側面視において中間部分に竿尻側ほど徐々に竿体１の外周面より離れる傾斜面を備えたアーチ状の形状を呈し、左右対称形状に配置してある。
棒状体３Ａ、３Ａとしては、竿体１と同様に、ガラス繊維等の柔軟性のある強化繊維にエポキシ等の樹脂を含浸させて形成したプリプレグで形成してもよく、或いは、アルミ、チタン等の金属棒を使用して構成してもよい。
【００１６】
グリップ部４について説明する。図１に示すように、リールシート２の竿先側に隣接する状態で、グリップ部４が設けてあり、このグリップ部４には、元竿Ａを握る手指の形状に沿ってそれら手指を位置決めする握り溝４Ａが複数条設けてある。グリップ部４の竿先側端には竿体１の上面側にまで至る大径の握り壁４Ｂが設けてあり、この握り壁４Ｂで親指と人指し指とを受け止めて、手指の位置決めを行っている。
【００１７】
以上のような構成により、グリップ部４の握り面（ここでは元竿の外周面）と棒状体３Ａの腕置き面３ａとを結ぶ仮想線ｂを想定し、その仮想線ｂが竿尻側ほど竿の外周面から離間する斜め姿勢となるように腕置き部３を竿外方に突出させて設けてある。
【００１８】
元竿Ａの外周面と腕部分ｕとの成す角αが５°〜１５°の範囲内に収まるように構成する。これによって、手首に掛かる負担が軽減される。
また、図２に示すように、グリップ部４を握った釣り人の腕部分ｕが左右一対の棒状体３Ａ、３Ａに載置されて、腕部分ｕは左右一対の棒状体３Ａ、３Ａによって竿体１の外周面よりやや離れた状態で支持されるとともに、棒状体３Ａ、３Ａに載置された状態で棒状体３Ａ、３Ａのアーチ状突出端の間に入り込み、その部分によって挟みこまれる状態で支持されることとなる。
【００１９】
棒状体３Ａ、３Ａで腕部分ｕが竿体１の外周面より外方側において支持されることによって、グリップ部４を握った手から腕部分ｕを竿体１に沿った姿勢に曲げる必要がなく、竿体１に沿った姿勢に維持する為に手首に掛かっていた負担を軽減できる。しかも、魚が針掛かりした状態で、魚が横走りするような場合であっても、それを抑えるために、釣り竿全体を横倒ししてその魚の走りに耐える操作を行う場合に、グリップ部４だけでなく、左右一対の棒状体３Ａ、３Ａに挟まれた腕部分ｕでも協働して耐えることができ、竿捌きが容易になる。
【００２０】
〔別実施形態〕
（１）  グリップ部４としては、握り溝４Ａを設ける必要はなく、グリップ部４の表面形状として凹凸面のない平坦なものに形成してもよい。
（２）  腕置き部３としては、元竿１の表面に、プリプレグや樹脂塗料等を盛り上げた盛り上がり部分を設けてもよい。
【図面の簡単な説明】
【００２１】
【図１】腕置き部として左右に棒状体を配置したものを示し、（イ）元竿の平面図、（ロ）元竿の側面図
【図２】棒状体に腕部分を載置した状態を示す側面図
【符号の説明】
【００２２】
２                リールシート
３                腕置き部
３Ａ              棒状体
３ａ              腕置き面
４                グリップ部
４Ａ              握り溝
ｂ                仮想線
【図１】
2008104420.tif 000003
【図２】
2008104420.tif 000004